(57)【要約】【課題】ＵＳＢ機器を接続しても携帯性が損なわれることを防ぐことができる電子機器、および、ＵＳＢ機器を提供すること。【解決手段】接続されたＵＳＢ機器９から入力する情報を処理する装置本体と、当該装置本体を内部に収納する筐体２とを備えた電子機器１であって、筐体２の外周面には、当該筐体２の内部に向かって没入する段差部２１Ｂ１が形成され、段差部２１Ｂ１には、当該段差部２１Ｂ１が形成された筐体２の面２１Ｂに沿ってＵＳＢ機器９が接続されるＵＳＢ接続端子２１Ｂ２が設けられている。これによれば、ＵＳＢ機器９をＵＳＢ接続端子２１Ｂ２に接続すると、ＵＳＢ機器９が段差部２１Ｂ１に収納されるので、電子機器１の運搬中に当該ＵＳＢ機器９が邪魔になることを抑えることができる。【選択図】図５
2007200109.tif 000002
【特許請求の範囲】
【請求項１】
接続されたＵＳＢ機器から入力する情報を処理する装置本体と、当該装置本体を内部に収納する筐体とを備えた電子機器であって、
前記筐体の外周面には、当該筐体の内部に向かって没入する段差部が形成され、
前記段差部には、当該段差部が形成された前記筐体の面に沿って前記ＵＳＢ機器が接続されるＵＳＢ接続端子が設けられていることを特徴とする電子機器。
【請求項２】
請求項１に記載の電子機器において、
前記段差部が形成された前記筐体の外周面には、前記段差部に隣接するように、前記ＵＳＢ機器の接続方向に沿って延出する側壁が形成されていることを特徴とする電子機器。
【請求項３】
請求項１または請求項２に記載の電子機器において、
前記ＵＳＢ接続端子に接続された前記ＵＳＢ機器を固定する固定手段を備えることを特徴とする電子機器。
【請求項４】
請求項１から請求項３に記載の電子機器において、
前記段差部は、前記装置本体の温度が最も低い位置に形成されていることを特徴とする電子機器。
【請求項５】
請求項１から請求項４のいずれかに記載の電子機器において、
当該電子機器は、
光源と、前記光源から射出された光束を変調して光学像を形成する光変調装置と、形成された光学像を投射する投射光学系とを備えたプロジェクタであることを特徴とする電子機器。
【請求項６】
請求項５に記載の電子機器において、
前記段差部は、前記投射光学系による光学像の投射方向に沿った面で、かつ、前記投射光学系に近接する側の前記筐体の面に形成されていることを特徴とする電子機器。
【請求項７】
内部に向かって没入する段差部と、当該段差部に設けられたＵＳＢ接続端子とを有する筐体を備えた電子機器に用いられ、前記ＵＳＢ接続端子に接続されるＵＳＢ機器であって、
当該ＵＳＢ機器は、前記ＵＳＢ接続端子に接続された際に、前記筐体に沿った形状を有することを特徴とするＵＳＢ機器。
【発明の詳細な説明】
【技術分野】
【０００１】
本発明は、接続されたＵＳＢ機器から入力する情報を処理する装置本体と、当該装置本体を内部に収納する筐体とを備えた電子機器、および、当該電子機器に用いられるＵＳＢ機器に関する。
【背景技術】
【０００２】
従来、電子機器として、光源、当該光源から射出された光束を変調して光学像を形成する光変調装置、および、形成された光学像を投射する投射光学系を有する装置本体と、当該装置本体を内部に収納する筐体とを備えたプロジェクタが知られている。このようなプロジェクタは、外部から入力する画像情報に応じた光学像を形成し、当該光学像を投射光学系により、スクリーン等に投射可能に構成されている。
【０００３】
このようなプロジェクタとして、画像情報を出力する機器と接続可能なプロジェクタが提案されている（例えば、特許文献１参照）。この特許文献１に記載のプロジェクタでは、筐体背面側に露出するインターフェースに複数の接続端子（コネクタ）が設けられ、当該接続端子には各機器が、ケーブル等を介して接続される。そして、プロジェクタは、当該各機器から入力する画像情報に応じた光学像を形成して投射する。
【０００４】
ここで、前述のような画像情報等の情報を出力する機器が数多く提案されており、特に、小型で携帯可能なＵＳＢ（Universal Serial Bus）機器が利用される頻度が高まりつつある。このようなＵＳＢ機器には、画像情報等をファイルとして記憶するＵＳＢ機器だけでなく、他の機器と通信接続可能なモジュールを備えたＵＳＢ機器も考案されている。そして、このような携帯可能なＵＳＢ機器には、ケーブル等を介さずに、プロジェクタの接続端子に直接接続可能なＵＳＢ機器も数多く提案されている。
【０００５】
【特許文献１】特開２００３−２１５７０２号公報（第４頁、図２）
【発明の開示】
【発明が解決しようとする課題】
【０００６】
近年、プロジェクタの小型化および軽量化が進み、所定の場所に設置するのではなく、プロジェクタを携帯して、所望の場所で利用することが多くなってきている。ここで、プロジェクタを携帯する場合、特許文献１に記載のプロジェクタに設けられ、外面に露出した接続端子に、前述の直接接続可能な小型のＵＳＢ機器を接続すると、当該ＵＳＢ機器がプロジェクタから突出してしまう。このため、ＵＳＢ機器が接続された状態でプロジェクタを携帯しようとすると、当該ＵＳＢ機器が邪魔になり、プロジェクタの携帯性が低下するという問題がある。
このような問題は、プロジェクタに限らず、ＵＳＢ接続端子を備えたノート型ＰＣ（Personal Computer）や、ＵＳＢ機器に記憶された画像情報等を直接印刷可能な携帯型プリンタ等の電子機器においても同様に生じる問題である。
【０００７】
本発明の目的は、ＵＳＢ機器を接続しても携帯性が損なわれることを防ぐことができる電子機器、および、ＵＳＢ機器を提供することである。
【課題を解決するための手段】
【０００８】
前記した目的を達成するために、本発明の電子機器は、接続されたＵＳＢ機器から入力する情報を処理する装置本体と、当該装置本体を内部に収納する筐体とを備えた電子機器であって、前記筐体の外周面には、当該筐体の内部に向かって没入する段差部が形成され、前記段差部には、当該段差部が形成された前記筐体の面に沿って前記ＵＳＢ機器が接続されるＵＳＢ接続端子が設けられていることを特徴とする。
【０００９】
本発明によれば、電子機器を構成する筐体に段差部が形成され、当該段差部にＵＳＢ機器が接続されるＵＳＢ接続端子が設けられている。このため、当該筐体に沿ってＵＳＢ機器をＵＳＢ接続端子に接続した状態では、ＵＳＢ機器は段差部に収まるようになる。これによれば、ＵＳＢ接続端子に接続されたＵＳＢ機器が電子機器から突出しないようにすることができる。従って、ＵＳＢ機器が接続された場合でも、電子機器の運搬時に当該ＵＳＢ機器が邪魔になることを抑えることができるので、電子機器の携帯性が損なわれることを防ぐことができる。
【００１０】
本発明では、前記段差部が形成された前記筐体の外周面には、前記段差部に隣接するように、前記ＵＳＢ機器の接続方向に沿って延出する側壁が形成されていることが好ましい。
本発明によれば、ＵＳＢ機器の接続方向に沿った段差部の面に側壁が形成されていることにより、ＵＳＢ接続端子にＵＳＢ機器を接続した場合に、当該ＵＳＢ機器を保護することができるとともに、当該ＵＳＢ機器の不意な脱落を防ぐことができる。また、側壁の段差部からの高さが、ＵＳＢ接続端子に接続されたＵＳＢ機器の段差部からの高さより高い場合には、より確実にＵＳＢ機器を保護できるだけでなく、ＵＳＢ機器が筐体から突出することを確実に防ぐことができる。従って、電子機器の携帯性が損なわれることを、より確実に防ぐことができる。
【００１１】
本発明では、前記ＵＳＢ接続端子に接続された前記ＵＳＢ機器を固定する固定手段を備えることが好ましい。
本発明によれば、固定手段により、ＵＳＢ機器をＵＳＢ接続端子に接続した状態で固定することができる。これによれば、電子機器の運搬中に、ＵＳＢ機器が電子機器から脱落することを確実に防ぐことができる。従って、電子機器の携帯性が、ＵＳＢ機器の接続によって損なわれることを防ぐことができる。
【００１２】
本発明では、前記段差部は、前記装置本体の温度が最も低い位置に形成されていることが好ましい。
ここで、ＵＳＢ機器は、内部に半導体等を備えるものが多く、ＵＳＢ機器の使用中には、当該ＵＳＢ機器自体からも発熱する。このようなＵＳＢ機器に対して、外部から熱が加わると、誤動作が生じてＵＳＢ機器の正常使用ができなくなることがある。
これに対し、本発明では、電子機器を構成する装置本体のうち、最も温度が低い位置に段差部が形成されている。これによれば、ＵＳＢ接続端子に接続されたＵＳＢ機器に対する電子機器で発生した熱の影響を小さくすることができる。従って、電子機器に接続されたＵＳＢ機器の誤動作を抑えることができる。
【００１３】
本発明では、当該電子機器は、光源と、前記光源から射出された光束を変調して光学像を形成する光変調装置と、形成された光学像を投射する投射光学系とを備えたプロジェクタであることが好ましい。
本発明によれば、電子機器としてのプロジェクタに、画像ファイル等の画像情報を記憶したＵＳＢ機器や、他の機器と通信接続可能なモジュールを備えたＵＳＢ機器を接続した場合でも、携帯性を損なうことなく当該プロジェクタを持ち運ぶことが可能となる。従って、プロジェクタの持ち運びを容易に行うことができ、当該プロジェクタの携帯性を損なわないようにすることができる。
【００１４】
本発明では、前記段差部は、前記投射光学系による光学像の投射方向に沿った面で、かつ、前記投射光学系に近接する側の前記筐体の面に形成されていることが好ましい。
ここで、電子機器がプロジェクタとして構成されている場合、光学像を拡大投射する投射光学系は、ある程度の長さを必要とし、また、投射光学系自体の発熱は小さいため、当該投射光学系の投射方向に沿った面で、かつ、前記投射光学系に近接する側の筐体の面は、電子機器において最も温度の低い位置となる。このため、本発明では、段差部が投射光学系による光学像の投射方向に沿った筐体の面に形成されていることにより、ＵＳＢ接続端子に接続されたＵＳＢ機器に、電子機器で発生した熱が伝導することを抑制することができる。従って、プロジェクタとして構成された電子機器のＵＳＢ接続端子に接続されたＵＳＢ機器の誤動作を、一層抑制することができる。
【００１５】
また、本発明のＵＳＢ機器は、内部に向かって没入する段差部と、当該段差部に設けられたＵＳＢ接続端子とを有する筐体を備えた電子機器に用いられ、前記ＵＳＢ接続端子に接続されるＵＳＢ機器であって、当該ＵＳＢ機器は、前記ＵＳＢ接続端子に接続された際に、前記筐体に沿った形状を有することを特徴とする。
本発明によれば、前述の電子機器と同様の効果を奏することができる。
すなわち、本発明のＵＳＢ機器を、電子機器の筐体の段差部に設けられたＵＳＢ接続端子に接続した場合、当該ＵＳＢ機器は、段差部に収納される形となる。また、ＵＳＢ機器は、ＵＳＢ接続端子に接続された際に、電子機器の筐体の形状に沿った形状を有しているので、ＵＳＢ機器が電子機器から突出することを確実に防ぐことができる。従って、ＵＳＢ機器が接続された状態でも、電子機器の携帯性が損なわれないようにすることができる。
【発明を実施するための最良の形態】
【００１６】
以下、本発明の一実施形態を図面に基づいて説明する。
（１）プロジェクタ１の構成
図１は、本実施形態に係るプロジェクタ１の内部構成を示す模式図である。
プロジェクタ１は、入力する画像情報に応じた光学像を形成し、当該光学像をスクリーン等に拡大投射するものである。このプロジェクタ１は、図１に示すように、外装筐体２と、当該外装筐体２に収納される装置本体３とを備えている。また、プロジェクタ１は、後述する投射レンズ４６による光学像の投射方向に沿った側面で、かつ、当該投射レンズ４６に近接する側の側面に、当該投射方向に沿うようにＵＳＢ機器９が接続可能に構成されている。
【００１７】
（２）装置本体３の構成
装置本体３は、プロジェクタ１の主要な機能を実行するものであり、前述のように、外装筐体２内に収納されている。この装置本体３は、光学像を形成する光学ユニット４と、装置本体３の動作を制御する制御ユニット５と、装置本体３を構成する各電子部品に駆動電力を供給する電源ユニット６と、これらを冷却する冷却ユニット７とを備えて構成されている。
【００１８】
光学ユニット４は、後述する制御ユニット５による制御の下、光源から射出された光束を、光学的に処理して画像情報に対応した光学像（カラー画像）を形成するユニットである。この光学ユニット４は、外装筐体２の背面に沿って延出するとともに、当該外装筐体２の側面に沿って延出する平面視略Ｌ字形状を有している。
この光学ユニット４は、照明光学装置４１と、色分離光学装置４２と、リレー光学装置４３と、電気光学装置４４と、これら光学部品４１〜４４を内部に収納配置する光学部品用筐体４５と、当該光学部品用筐体４５により所定位置で支持固定される投射レンズ４６とを備えている。
【００１９】
照明光学装置４１は、電気光学装置４４を構成する後述する液晶パネル４４１の画像形成領域をほぼ均一に照明するための光学系である。この照明光学装置４１は、光源装置４１１と、第１レンズアレイ４１２と、第２レンズアレイ４１３と、偏光変換素子４１４と、重畳レンズ４１５とを備えて構成されている。
【００２０】
光源装置４１１は、放射状の光線を射出する光源ランプ４１６と、この光源ランプ４１６から射出された放射光を反射して所定位置に収束させるリフレクタ４１７と、リフレクタ４１７にて収束される光束を照明光軸Ａに対して平行化する平行化凹レンズ４１８とを備えている。このような光源ランプ４１６としては、ハロゲンランプやメタルハライドランプ、高圧水銀ランプを利用することができる。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００２１】
第１レンズアレイ４１２は、光軸方向から見て略矩形状の輪郭を有する小レンズがマトリクス状に配列された構成を有している。各小レンズは、光源装置４１１から射出される光束を、複数の部分光束に分割する。
第２レンズアレイ４１３は、第１レンズアレイ４１２と同様な構成を有しており、小レンズがマトリクス状に配列された構成を有している。この第２レンズアレイ４１３は、
当該第２レンズアレイ４１３の光路後段に配置された重畳レンズ４１５とともに、第１レンズアレイ４１２の各小レンズから射出された像を、電気光学装置４４の後述する液晶パネル４４１の画像形成領域に結像させる機能を有している。
【００２２】
偏光変換素子４１４は、第２レンズアレイ４１３と重畳レンズ４１５との間に配置され、第２レンズアレイ４１３からの光を略１種類の直線偏光に変換するものである。
具体的に、偏光変換素子４１４によって略１種類の直線偏光に変換された各部分光は、重畳レンズ４１５によって最終的に後述する液晶パネル４４１の画像形成領域にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の直線偏光に変換し、電気光学装置４４での光の利用効率を高めている。
【００２３】
色分離光学装置４２は、２枚のダイクロイックミラー４２１，４２２と、反射ミラー４２３とを備え、ダイクロイックミラー４２１，４２２により照明光学装置４１から射出された複数の部分光束を赤、緑、青の３色の色光に分離する機能を有している。
リレー光学装置４３は、入射側レンズ４３１、リレーレンズ４３３、および反射ミラー４３２，４３４を備え、色分離光学装置４２で分離された赤色光を赤色光用の液晶パネル４４１（４４１Ｒ）まで導く機能を有している。
【００２４】
この際、色分離光学装置４２のダイクロイックミラー４２１では、照明光学装置４１から射出された光束の赤色光成分と緑色光成分とが透過するとともに、青色光成分が反射する。ダイクロイックミラー４２１によって反射した青色光は、反射ミラー４２３で反射し、フィールドレンズ４１９を通って青色光用の液晶パネル４４１（４４１Ｂ）に達する。このフィールドレンズ４１９は、第２レンズアレイ４１３から射出された各部分光束をその中心軸（主光線）に対して平行な光束に変換する。緑色光用および赤色光用の液晶パネル４４１（４４１Ｇ，４４１Ｒ）の光入射側に設けられたフィールドレンズ４１９も同様である。
【００２５】
ダイクロイックミラー４２１を透過した赤色光と緑色光のうち、緑色光はダイクロイックミラー４２２によって反射し、フィールドレンズ４１９を通って緑色光用の液晶パネル４４１（４４１Ｇ）に達する。一方、赤色光はダイクロイックミラー４２２を透過してリレー光学装置４３を通り、さらにフィールドレンズ４１９を通って赤色光用の液晶パネル４４１（４４１Ｒ）に達する。なお、赤色光の光路上にリレー光学装置４３が配置されているのは、赤色光の光路の長さが他の色光の光路の長さよりも長いため、光の拡散等による光の利用効率の低下を防止するためである。すなわち、入射側レンズ４３１に入射した部分光束をそのまま、フィールドレンズ４１９に伝えるためである。なお、リレー光学装置４３には、３つの色光のうち赤色光を通す構成としたが、これに限らず、例えば、青色光を通す構成としてもよい。
【００２６】
電気光学装置４４は、色分離光学装置４２から射出される３つの色光を画像情報に応じてそれぞれ変調し、変調した各色光を合成して光学像（カラー画像）を形成する。この電気光学装置４４は、光変調装置としての３つの液晶パネル４４１（赤色光用の液晶パネルを４４１Ｒ、緑色光用の液晶パネルを４４１Ｇ、青色光用の液晶パネルを４４１Ｂとする）と、これら液晶パネル４４１の光束入射側にそれぞれ配置される３つの入射側偏光板４４２と、各液晶パネル４４１の光束射出側にそれぞれ配置される３つの視野角補償板４４３と、３つの視野角補償板４４３の光束射出側にそれぞれ配置される３つの射出側偏光板４４４と、色合成光学装置としてのクロスダイクロイックプリズム４４５とを備えて構成されている。
【００２７】
このうち、入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、例えば、サファイアガラスまたは水晶等の透光性基板上に偏光膜が貼付された構成を有している。
液晶パネル４４１は、一対の透明ガラス基板に電気光学物質である液晶が密閉封入された構成を有し、後述する制御ユニット５から入力する駆動信号に応じて、画像形成領域内にある液晶の配向状態が制御され、入射側偏光板４４２から射出された偏光光束の偏光方向を変調して、入射する色光に応じた色画像を形成する。
【００２８】
視野角補償板４４３は、フィルム状に形成され、光束が液晶パネル４４１に斜方入射（液晶パネル４４１の光束入射面の法線方向に対して傾斜して入射）した場合に、当該液晶パネル４４１で生じる複屈折による常光と異常光との間に生じる位相差を補償する。この視野角補償板４４３は、負の一軸性を有する光学異方体であり、その光学軸がフィルム面内の所定方向に向きかつ、該フィルム面から面外方向に所定角度傾斜するように配向している。
この視野角補償板４４３としては、例えば、トリアセチルセルロース（ＴＡＣ）等の透明支持体上に配向膜を介してディスコティック（円盤状）化合物層を形成したもので構成することができ、ＷＶフィルム（富士写真フィルム社製）を採用できる。
【００２９】
射出側偏光板４４４は、液晶パネル４４１から射出され視野角補償板４４３を介した光束のうち、入射側偏光板４４２における光束の透過軸と直交する偏光軸を有する光束のみ透過させ、その他の光束を吸収するものである。
クロスダイクロイックプリズム４４５は、射出側偏光板４４４から射出された色画像としての各色光を合成して光学像（カラー画像）を形成する光学素子である。このクロスダイクロイックプリズム４４５は、４つの直角プリズムを貼り合わせた平面視正方形状をなし、直角プリズム同士を貼り合わせた界面には、２つの誘電体多層膜が形成されている。これら誘電体多層膜は、投射レンズ４６と対向する側（Ｇ色光側）に配置された射出側偏光板４４４を介した色光を透過し、残り２つの射出側偏光板４４４（Ｒ色光側およびＢ色光側）を介した色光を反射する。このようにして、各入射側偏光板４４２、各液晶パネル４４１、各視野角補償板４４３、および各射出側偏光板４４４にて変調された各色光が合成されてカラー画像が形成される。
【００３０】
光学部品用筐体４５は、内部に所定の照明光軸Ａが設定され、上述した光学部品４１〜４４を照明光軸Ａに対する所定位置に配置する合成樹脂製の箱状部材である。この光学部品用筐体４５の内部には、詳しい図示を省略したが、各光学部品４１〜４４を位置決め固定するための複数の溝が形成されている。
投射レンズ４６は、前述の光学部品４１〜４４により形成された光学像（カラー画像）を図示しないスクリーン上に拡大投射する投射光学系としての機能を有するものである。この投射レンズ４６は、筒状の鏡筒内に複数のレンズが収納された組レンズとして構成されている。
【００３１】
制御ユニット５は、ＣＰＵ（Central Processing Unit）、ＲＯＭ（Read Only Memory）およびＲＡＭ（Random Access Memory）等を実装した回路基板として構成されている。この制御ユニット５は、外装筐体２の外面に露出する接続端子（図示省略）から入力した画像情報を処理して、光学ユニット４の液晶パネル４４１の駆動を制御するとともに、光源装置４１１の光源ランプ４１６の点灯制御を行うなど、装置本体３全体の駆動制御を行う。また、制御ユニット５は、後述するＵＳＢ接続端子２１Ｂ２（図３〜図５参照）と電気的に接続されており、当該ＵＳＢ接続端子２１Ｂ２に接続されたＵＳＢ機器９から入力する情報を処理する。
【００３２】
電源ユニット６は、プロジェクタ１を構成する各電子部品に電力を供給するものであり、詳しい図示を省略したが、電源ブロックと、光源駆動ブロックとを備えている。
このうち、電源ブロックは、電源ケーブル（図示省略）を介して入力する商用交流電流を直流変換し、各電子部品に応じた電圧に昇圧および減圧した後に、光源駆動ブロックおよび制御ユニット５等の各電子部品に供給する。
光源駆動ブロックは、電源ブロックから供給される直流電流を整流、変圧して、交流矩形波電流を発生させ、この交流矩形波電流を光源装置４１１の光源ランプ４１６に供給して、当該光源ランプ４１６を点灯させる回路基板である。この光源駆動ブロックは、前述の制御ユニット５に電気的に接続され、当該制御ユニット５により、光源駆動ブロックを介して、光源ランプ４１６の点灯制御がなされている。
【００３３】
冷却ユニット７は、外装筐体２の外部から取り込まれ、前述の光学ユニット４、制御ユニット５および電源ユニット６を冷却した空気を外部に排出する。この冷却ユニット７は、冷却ファンを備えて構成され、当該冷却ファンの駆動制御は、制御ユニット５によって行われる。なお、このような冷却ファンは、回転軸を中心としてファンを回転させることにより、当該回転軸方向に沿って空気を取り込み、排出する軸流ファンで構成することができ、また、回転軸方向から吸気した空気を回転接線方向に排気する遠心力ファン（シロッコファン）で構成することも可能である。
【００３４】
（３）外装筐体２の構成
図２は、プロジェクタ１の外観を示す概要斜視図である。換言すると、図２は、外装筐体２を示す概要斜視図である。
外装筐体２は、本発明の筐体に相当し、図２に示すように、丸みを帯びた全体略直方体状に合成樹脂等で形成されている。この外装筐体２は、プロジェクタ１の天面、前面、背面および側面をそれぞれ構成し、当該外装筐体２の上部を構成するアッパーケース２１と、プロジェクタ１の底面、前面、背面および側面をそれぞれ構成し、外装筐体２の下部を構成するロアーケース２２とで構成され、アッパーケース２１およびロアーケース２２は互いにねじ等で固定されている。
なお、外装筐体２は、合成樹脂等に限らず、その他の材料にて形成してもよく、例えば、金属等により構成してもよい。
【００３５】
このうち、ロアーケース２２の底面四隅には、当該底面から下方に延出する脚部２２１が形成されている。
また、アッパーケース２１の前面２１Ａ（投射レンズ４６による光学像の投射方向に対向する面）には、投射レンズ４６が露出する開口２１Ａ１が形成されている。
さらに、アッパーケース２１を構成する側面のうち、投射レンズ４６に近接する側の側面２１Ｂには、当該投射レンズ４６による光学像の投射方向に沿って延出し、後述するＵＳＢ機器９が装着可能な段差部２１Ｂ１が形成されている。
【００３６】
図３は、外装筐体２の一部を拡大して示す部分拡大図である。換言すると、図３は、アッパーケース２１に形成された段差部２１Ｂ１を示す概要斜視図である。
段差部２１Ｂ１は、図３に示すように、アッパーケース２１の内側に向かって没入するように、かつ、投射レンズ４６による光学像の投射方向（図３における矢印Ｚ方向）に沿って延出するように、縦断面視略凹状に形成されている。この段差部２１Ｂ１は、矢印Ｚ方向に沿った方向の寸法に対して、外装筐体２の側面の法線方向（図３における矢印Ｘ方向）の寸法が短くなるように形成されている。また、この段差部２１Ｂ１は、前面２１Ａ側の端部が切り欠かれており、また、当該段差部２１Ｂ１を形成する背面側の面には、ＵＳＢ機器９を接続するＵＳＢ接続端子２１Ｂ２が露出するように設けられている。
【００３７】
また、段差部２１Ｂ１の上側（図３における矢印Ｙ方向の先端側）および下側（図３における矢印Ｙ方向の基端側）には、それぞれ矢印Ｚ方向に沿って延出した側壁２１Ｂ３が形成されている。これら側壁２１Ｂ３は、段差部２１Ｂ１に挿入され、ＵＳＢ接続端子２１Ｂ２に接続されたＵＳＢ機器９を保護するとともに、当該ＵＳＢ機器９のＵＳＢ接続端子２１Ｂ２への接続を案内するガイドとしても機能する。このため、ＵＳＢ機器９のＵＳＢ接続端子２１Ｂ２への接続を容易に行うことができるだけでなく、ＵＳＢ接続端子２１Ｂ２にＵＳＢ機器９を接続した際に、当該ＵＳＢ機器９が外装筐体２から突出しないようにすることができるので、プロジェクタ１の携帯性が損なわれることを抑えることができる。
さらに、段差部２１Ｂ１の下側に位置する側壁２１Ｂ３には、当該側壁２１Ｂ１を上下に貫通する孔２１Ｂ４が形成されている。この孔２１Ｂ４には、ＵＳＢ機器９を段差部２１Ｂ１に固定する後述するねじ８が挿通する孔である。
【００３８】
（４）ＵＳＢ機器９の構成
図４および図５は、段差部２１Ｂ１にＵＳＢ機器９を装着する過程を示す図である。具体的に、図４は、段差部２１Ｂ１およびＵＳＢ機器９を上方から見た図であり、図５は、下方から見た図である。また、図６は、ＵＳＢ接続端子２１Ｂ２にＵＳＢ機器９を接続した状態を示す図である。なお、図４および図５において示したＸ，Ｙ，Ｚ方向は、図３において示したＸ，Ｙ，Ｚ方向と同じ方向である。
ＵＳＢ機器９は、図４から図６に示すように、小型で携帯可能なＵＳＢ機器であり、ＵＳＢ接続ケーブルを介さずに、段差部２１Ｂ１に設けられたＵＳＢ接続端子２１Ｂ２に直接接続可能に構成されている。このようなＵＳＢ機器９として、例えば、外部機器と通信接続可能な無線ＬＡＮ（Local Area Network）モジュールを備えた無線ＬＡＮアダプタや、画像情報としての静止画像ファイルおよび動画ファイルを記憶したＵＳＢメモリを例示することができる。
【００３９】
ＵＳＢ機器９は、情報を内部に記憶可能に構成された略直方体形状の機器本体９１と、当該機器本体９１から突出し、ＵＳＢ接続端子２１Ｂ２に接続される端子部９２とを備えて構成されている。
このうち、機器本体９１の形状は、端子部９２をＵＳＢ接続端子２１Ｂ２に接続した際に、アッパーケース２１に沿うように形成されている。具体的に、ＵＳＢ機器９をＵＳＢ接続端子２１Ｂ２に接続した際に外部に露出する機器本体９１の面は、略中央部分が側面２１Ｂに沿うように略平坦に形成され、機器本体９１の端子部９２が形成された端部とは反対の端部近傍の面は、アッパーケース２１の前面２１Ａおよび側面２１Ｂに合わせて曲面形状を有するように形成されている。
【００４０】
そして、機器本体９１の矢印Ｘ方向の寸法は、段差部２１Ｂ１の矢印Ｘ方向の寸法とほぼ同じとなるように、また、機器本体９１の矢印Ｙ方向の寸法は、側壁２１Ｂ３間の寸法とほぼ同じとなるように形成されている。さらに、機器本体９１の矢印Ｚ方向の寸法（ＵＳＢ機器９において端子部９２を除いた部分の矢印Ｚ方向の寸法）は、段差部２１Ｂ１のＺ方向の寸法とほぼ同じとなるように形成されている。このため、ＵＳＢ接続端子２１Ｂ２にＵＳＢ機器９を接続した場合には、当該ＵＳＢ機器９は、図６に示すように、段差部２１Ｂ１に収納されることとなり、アッパーケース２１から突出しないこととなる。
【００４１】
この機器本体９１の下面（図５における矢印Ｙ方向に対向する面）には、ねじ穴９３が形成されている。このねじ穴９３には、アッパーケース２１の下方側の側壁２１Ｂ３に形成された孔２１Ｂ４、および、ロアーケース２２の底面に形成された孔２２２を挿通した固定手段としてのねじ８が螺合する。すなわち、ＵＳＢ機器９をＵＳＢ接続端子２１Ｂ２に接続した後、孔２１Ｂ４および孔２２２を介して、ねじ穴９３とねじ８とを螺合させることで、ＵＳＢ機器９を外装筐体２にねじ固定することができる。従って、ＵＳＢ機器９がプロジェクタ１に接続された状態で、当該プロジェクタ１を運搬する場合でも、ＵＳＢ機器９が外れることがないので、ＵＳＢ機器９の損傷が生じることを防ぐことができるほか、プロジェクタ１の携帯性を損なうことなく、逆に、運搬容易性を向上することができる。
【００４２】
（５）段差部２１Ｂ１の形成位置
ここで、アッパーケース２１における段差部２１Ｂ１の形成位置について説明する。
段差部２１Ｂ１は、前述のように、アッパーケース２１を構成する面のうち、投射レンズ４６による光学像の投射方向に沿った側面で、かつ、当該投射レンズ４６に近接する側の側面２１Ｂに形成されている。そして、この側面２１Ｂにおける段差部２１Ｂ１が形成された位置は、プロジェクタ１において最も温度の低い位置である。
【００４３】
詳述すると、装置本体３において、光学ユニット４、制御ユニット５および電源ユニット６は、それぞれが発熱源であり、特に光学ユニット４を構成する光源ランプ４１６は最大の発熱源である。このため、プロジェクタ１にＵＳＢ機器９を接続する場合には、これら発熱源から遠ざけた位置にＵＳＢ機器９を接続しないと、当該発熱源から熱の影響を受けて、ＵＳＢ機器９が誤動作する可能性がある。特に、本実施形態のように、段差部にＵＳＢ機器９が収まる構成のプロジェクタ１であると、外装筐体２からＵＳＢ機器９に熱が伝導する場合があり、このような場合、ＵＳＢ機器９が誤動作する可能性が高くなる。従って、ＵＳＢ機器９が収納される段差部を、外装筐体において、最も温度が低い位置に配置する必要がある。
【００４４】
ここで、図１において示した各ユニット４，５，６，７の配置位置から、プロジェクタ１において温度が高い位置は、光学ユニット４の光源装置４１１近傍、電気光学装置４４近傍、制御ユニット５、電源ユニット６および冷却ユニット７近傍となる。また、冷却ユニット７が配置された位置は、外装筐体２内部の空気を外部に排出するための開口が必要となり、ＵＳＢ機器９を接続するためのＵＳＢ接続端子を設けることは困難となる。このため、光学ユニット４、制御ユニット５、電源ユニット６および冷却ユニット７の熱の影響が最も低い位置である、投射レンズ４６に沿い、かつ、当該投射レンズ４６に近接する側の側面２１Ｂの位置が、プロジェクタ１において最も温度が低い位置となる。そして、この側面２１Ｂにおける投射レンズ４６に対応する位置に段差部２１Ｂ１を形成し、当該段差部２１Ｂ１にＵＳＢ接続端子２１Ｂ２を設けることにより、ＵＳＢ機器９に対するプロジェクタ１内で発生する熱の影響を最も小さくすることができる。従って、ＵＳＢ接続端子２１Ｂ２に接続されたＵＳＢ機器９の誤動作の発生を抑制することができる。
【００４５】
以上のような本実施形態のプロジェクタ１によれば、以下の効果を奏することができる。
すなわち、プロジェクタ１を構成する外装筐体２の側面２１Ｂに、内側に向かって没入する段差部２１Ｂ１が形成され、この段差部２１Ｂ１に、当該段差部２１Ｂ１に沿ってＵＳＢ機器９が接続されるＵＳＢ接続端子２１Ｂ２が設けられている。これによれば、ＵＳＢ接続端子２１Ｂ２にＵＳＢ機器９を接続した場合に、当該ＵＳＢ機器９がアッパーケース２１から不必要に突出することを防ぐことができる。従って、プロジェクタ１を運搬する際に、ＵＳＢ機器９が邪魔になることを防ぐことができるので、当該プロジェクタ１の携帯性が損なわれることを防ぐことができる。
【００４６】
また、アッパーケース２１における段差部２１Ｂ１が形成された側面２１Ｂには、当該段差部２１Ｂ１に隣接し、かつ、当該段差部２１Ｂ１に設けられたＵＳＢ接続端子２１Ｂ２へのＵＳＢ機器９の接続方向に沿って延出する側壁２１Ｂ３が設けられている。これによれば、ＵＳＢ機器９のＵＳＢ接続端子２１Ｂ２への接続が案内されるので、当該ＵＳＢ機器９の接続を容易に行うことができる。
また、側壁２１Ｂ３により、ＵＳＢ機器９が保護されることとなるので、ＵＳＢ機器９の不意な脱落を防ぐことができるだけでなく、ＵＳＢ機器９のアッパーケース２１からの突出を一層抑制することができる。従って、ＵＳＢ機器９が接続された状態のプロジェクタ１の携帯性を向上することができる。
さらに、本実施形態では、側壁２１Ｂ３は、段差部２１Ｂ１を挟むように、当該段差部２１Ｂ１の上側および下側に形成されている。これによれば、ＵＳＢ機器９のＵＳＢ接続端子２１Ｂ２への挿入が一層容易になるほか、当該ＵＳＢ機器９を確実に保護することができる。
【００４７】
さらに、ＵＳＢ接続端子２１Ｂ２が設けられた段差部２１Ｂ１は、アッパーケース２１における投射レンズ４６に近接する側面２１Ｂに形成されている。これによれば、段差部２１Ｂ１が形成された位置は、プロジェクタ１において、温度の最も低い位置であるので、プロジェクタ１で発生した熱が、ＵＳＢ接続端子２１Ｂ２に接続されたＵＳＢ機器９に伝導されて、当該ＵＳＢ機器９に悪影響を及ぼすことを防ぐことができる。従って、ＵＳＢ機器９の誤動作を防ぐことができる。
また、ＵＳＢ機器９は、投射レンズ４６による光学像の投射方向とは反対方向に沿ってＵＳＢ接続端子２１Ｂ２に接続されることとなるので、当該投射レンズ４６による光学像の投射を妨げることを防ぐことができる。このため、投射レンズ４６の位置に制約が加わることが抑えられるので、プロジェクタ１の設計の自由度を向上することができる。
【００４８】
さらに、ＵＳＢ接続端子２１Ｂ２に接続されるＵＳＢ機器９は、当該ＵＳＢ接続端子２１Ｂ２に接続された際に、アッパーケース２１の形状に応じた形状を有している。これによれば、ＵＳＢ機器９がアッパーケースからほぼ突出しないこととなるので、当該ＵＳＢ機器９を接続した状態でプロジェクタ１を運搬しても、ＵＳＢ機器９が邪魔になることが抑えられる。従って、プロジェクタ１の携帯性をさらに向上することができる。
【００４９】
（６）実施形態の変形
本発明は前述の実施形態に限定されるものではなく、本発明の目的を達成できる範囲での変形、改良等は本発明に含まれるものである。
例えば、前記実施形態では、側壁２１Ｂ３は、段差部２１Ｂ１を挟むように、当該段差部２１Ｂ１の上下に、ＵＳＢ機器９の段差部２１Ｂ１への挿入方向に沿って形成されているとしたが、本発明はこれに限らない。すなわち、側壁２１Ｂ３は、段差部２１Ｂ１の一方の側（例えば下側）のみに形成されるのであってもよく、また、形成されていなくてもよい。
なお、ＵＳＢ機器９の挿入方向に沿って延出する側壁２１Ｂ３が、段差部２１Ｂ１の当該挿入方向の一方の端部に形成されていれば、段差部２１Ｂ１に設けられたＵＳＢ接続端子２１Ｂ２に接続されたＵＳＢ機器９をプロジェクタ１の運搬中に保護することができる。また、段差部２１Ｂ１の下方に側壁２１Ｂ３が形成されていることにより、ＵＳＢ機器９のＵＳＢ接続端子２１Ｂ２への挿入が案内されるので、より簡易にＵＳＢ機器９を接続することが可能となる。
【００５０】
また、前記実施形態では、側壁２１Ｂ３の段差部２１Ｂ１の底面からの矢印Ｘ方向（図３から図５参照）の寸法は、ＵＳＢ機器９の機器本体９１の矢印Ｘ方向の寸法と略同じとしたが、本発明はこれに限らない。なお、側壁２１Ｂ３の段差部２１Ｂ１の底面からの矢印Ｘ方向の寸法が、機器本体９１の矢印Ｘ方向の寸法以上に形成されている場合には、アッパーケース２１からＵＳＢ機器９が突出することがなくすことができ、プロジェクタ１の携帯性を向上することができる。
【００５１】
前記実施形態では、段差部２１Ｂ１は、投射レンズ４６による光学像の投射方向に沿った側面のうち、投射レンズ４６に近接する側面２１Ｂに形成されるとしたが、投射レンズ４６による光学像の投射および冷却ユニット７による冷却空気の排出等を遮らない位置に段差部が形成されるのであれば、当該段差部の形成位置は問わない。さらに、段差部２１Ｂ１が形成される側面２１Ｂにおける位置は、投射レンズ４６に対応した位置であるとしたが、本発明はこれに限らない。
【００５２】
前記実施形態では、段差部２１Ｂ１は、アッパーケース２１の側面２１Ｂに、投射レンズ４６による光学像の投射方向（図３から図５におけるＺ方向）に沿って延出するように形成されるとしたが、本発明はこれに限らない。例えば、当該投射方向に直交する方向、例えば、図３から図５におけるＸ方向またはＹ方向に延出するように形成されていてもよい。
【００５３】
前記実施形態では、光学ユニット４が平面視略Ｌ字形状を有した構成を説明したが、これに限らず、例えば、平面視略Ｕ字形状を有した構成を採用してもよい。
【００５４】
前記実施形態では、光束入射面と光束射出面とが異なる透過型の液晶パネル４４１を用いていたが、光入射面と光射出面とが同一となる反射型の液晶パネルを用いてもよい。
さらに、前記実施形態のプロジェクタ１では、３つの液晶パネル４４１Ｒ，４４１Ｇ，４４１Ｂを用いたが、本発明はこれに限らない。すなわち、２つ、あるいは、４つ以上の液晶パネルを用いたプロジェクタにも、本発明を適用可能である。
【００５５】
前記実施形態では、光変調装置として液晶パネル４４１を備えたプロジェクタ１を例示したが、入射光束を画像情報に応じて変調して光学像を形成する光変調装置であれば、他の構成の光変調装置を採用してもよい。例えば、有機ＥＬ（ElectroLuminescence）やマイクロミラーを用いたデバイスなど、液晶層以外の光変調装置を用いたプロジェクタにも、本発明を適用することも可能である。このような光変調装置を用いた場合、光束入射側および光束射出側の偏光板４４２，４４４は、省略することができる。
【００５６】
前記実施形態では、ＵＳＢ接続端子２１Ｂ２が設けられ、段差部２１Ｂ１が形成された電子機器としてプロジェクタ１を挙げたが、本発明はこれに限らない。すなわち、ＵＳＢ接続端子を備える電子機器であれば、他の構成のものであってもよい。例えば、ＰＣ（Personal Computer）やプリンタ等に本発明を適用することも可能である。特に、ノート型ＰＣなど、携帯されることが想定される電子機器の場合、本発明を適用することにより、ＵＳＢ機器を接続した状態でも当該電子機器の携帯性を損なうことを抑えることができる。
【産業上の利用可能性】
【００５７】
本発明は、プロジェクタに利用できる他、電子機器、特に、ＵＳＢ機器を接続可能なＵＳＢ接続端子を備え、例えば、ノート型ＰＣや携帯型プリンタ等、携帯して利用されることが考えられる電子機器に好適に利用することができる。
【図面の簡単な説明】
【００５８】
【図１】本発明の一実施形態に係るプロジェクタの内部構成を示す模式図。
【図２】前記実施形態におけるプロジェクタの外観を示す概要斜視図。
【図３】前記実施形態における外装筐体の段差部を拡大して示す概要斜視図。
【図４】前記実施形態における段差部およびＵＳＢ機器を上方から見た概要斜視図。
【図５】前記実施形態における段差部およびＵＳＢ機器を下方から見た概要斜視図。
【図６】前記実施形態における段差部およびＵＳＢ機器を示す概要斜視図。
【符号の説明】
【００５９】
１…プロジェクタ（電子機器）、２…外装筐体（筐体）、３…装置本体、８…ねじ（固定手段）、９…ＵＳＢ機器、４６…投射レンズ（投射光学系）、２１Ｂ…側面（筐体の外周面）、２１Ｂ１…段差部、２１Ｂ２…ＵＳＢ接続端子、２１Ｂ３…側壁、４１６…光源ランプ（光源）、４４１（４４１Ｒ，４４１Ｇ，４４１Ｂ）…液晶パネル（光変調装置）。
【図１】
2007200109.tif 000003
【図２】
2007200109.tif 000004
【図３】
2007200109.tif 000005
【図４】
2007200109.tif 000006
【図５】
2007200109.tif 000007
【図６】
2007200109.tif 000008
【手続補正書】
【提出日】平成19年2月8日(2007.2.8)
【手続補正１】
【補正対象書類名】特許請求の範囲
【補正対象項目名】請求項４
【補正方法】変更
【補正の内容】
【請求項４】
請求項１から請求項３のいずれかに記載の電子機器において、
前記段差部は、前記装置本体の温度が最も低い位置に形成されていることを特徴とする電子機器。
【手続補正２】
【補正対象書類名】明細書
【補正対象項目名】００３７
【補正方法】変更
【補正の内容】
【００３７】
また、段差部２１Ｂ１の上側（図３における矢印Ｙ方向の先端側）および下側（図３における矢印Ｙ方向の基端側）には、それぞれ矢印Ｚ方向に沿って延出した側壁２１Ｂ３が形成されている。これら側壁２１Ｂ３は、段差部２１Ｂ１に挿入され、ＵＳＢ接続端子２１Ｂ２に接続されたＵＳＢ機器９を保護するとともに、当該ＵＳＢ機器９のＵＳＢ接続端子２１Ｂ２への接続を案内するガイドとしても機能する。このため、ＵＳＢ機器９のＵＳＢ接続端子２１Ｂ２への接続を容易に行うことができるだけでなく、ＵＳＢ接続端子２１Ｂ２にＵＳＢ機器９を接続した際に、当該ＵＳＢ機器９が外装筐体２から突出しないようにすることができるので、プロジェクタ１の携帯性が損なわれることを抑えることができる。
さらに、段差部２１Ｂ１の下側に位置する側壁２１Ｂ３には、当該側壁２１Ｂ３を上下に貫通する孔２１Ｂ４が形成されている。この孔２１Ｂ４には、ＵＳＢ機器９を段差部２１Ｂ１に固定する後述するねじ８が挿通する孔である。